(57)【要約】【課題】タッチパネルの如何なる箇所を押しても操作をスムーズに進めることができるタッチパネル式の操作表示装置を提供する。【解決手段】各種操作に対応した複数の機能キー２１〜２６が表示された表示部９の表面がタッチパネルで構成されており、前記機能キー以外の無機能領域２７を押圧した際に、押圧箇所Ａから前記機能キーまでのそれぞれの距離を計測する計測手段と、該計測手段により前記押圧箇所から最短距離にある前記機能キーを選択する第一選択手段とを具備するタッチパネル式の操作表示装置において、前記機能キーの使用頻度を計量する計量手段と、前記第一選択手段により選択された前記機能キーが複数存在する場合に、複数の該機能キーの内、前記計量手段に基づいて最も使用頻度の高い前記機能キーを選択する第二選択手段とを具備している。【選択図】図３
2008009612.tif 000002
【特許請求の範囲】
【請求項１】
各種操作に対応した複数の機能キーが表示された表示部の表面がタッチパネルで構成されており、前記機能キー以外の無機能領域を押圧した際に、押圧箇所から前記機能キーまでのそれぞれの距離を計測する計測手段と、該計測手段により前記押圧箇所から最短距離にある前記機能キーを選択する第一選択手段とを具備するタッチパネル式の操作表示装置において、
前記機能キーの使用頻度を計量する計量手段と、前記第一選択手段により選択された前記機能キーが複数存在する場合に、複数の該機能キーの内、前記計量手段に基づいて最も使用頻度の高い前記機能キーを選択する第二選択手段とを具備していることを特徴とするタッチパネル式の操作表示装置。
【請求項２】
前記第一選択手段により選択された前記機能キーが複数存在する場合に、一連の設定作業で既に一度設定が完了している前記機能キーを選択の対象から除外する除外手段を具備していることを特徴とする請求項１に記載のタッチパネル式の操作表示装置。
【発明の詳細な説明】
【技術分野】
【０００１】
本発明は、表示部が機能キー領域とそれ以外の無機能領域とで構成されているタッチパネル式の操作表示装置に関するものである。
【背景技術】
【０００２】
従来から、複写機、複合機、ＡＴＭ及び携帯型端末などに搭載されているタッチパネル式の操作表示装置が知られている。また、表示画面上のオブジェクト（機能キー）操作をより容易にする目的で、タッチパネルの押圧箇所の座標を取得し、その座標に最も近い位置に表示されているオブジェクトを指定するものが知られている（例えば、特許文献１参照）。
【特許文献１】特開２００１−１９５１７０号公報
【発明の開示】
【発明が解決しようとする課題】
【０００３】
ところで、特許文献１の発明は、押圧箇所に最も近い位置の機能キーが選択されるが、押圧箇所から同じ距離に複数の機能キーが存在する場合には、表示画面が反応せずに、再度同じ作業を繰り返してしまう虞がある。
【０００４】
そこで、本発明は、上記事情を鑑みてなされたものであり、タッチパネルの如何なる箇所を押しても操作をスムーズに進めることができるタッチパネル式の操作表示装置を提供することを目的とする。
【課題を解決するための手段】
【０００５】
上記の課題を解決するために、請求項１に記載した発明は、各種操作に対応した複数の機能キーが表示された表示部の表面がタッチパネルで構成されており、前記機能キー以外の無機能領域を押圧した際に、押圧箇所から前記機能キーまでのそれぞれの距離を計測する計測手段と、該計測手段により前記押圧箇所から最短距離にある前記機能キーを選択する第一選択手段とを具備するタッチパネル式の操作表示装置において、前記機能キーの使用頻度を計量する計量手段と、前記第一選択手段により選択された前記機能キーが複数存在する場合に、複数の該機能キーの内、前記計量手段に基づいて最も使用頻度の高い前記機能キーを選択する第二選択手段とを具備していることを特徴とする。
このように構成することで、表示部の如何なる位置を押圧しても、いずれかの機能キーが選択され、かつ、最も使用している機能キーが選択されることとなる。
【０００６】
請求項２に記載した発明は、前記第一選択手段により選択された前記機能キーが複数存在する場合に、一連の設定作業で既に一度設定が完了している前記機能キーを選択の対象から除外する除外手段を具備していることを特徴とする。
このように構成することで、一連の設定作業で選択される可能性が低い機能キーは選択されることが無くなる。
【発明の効果】
【０００７】
請求項１に記載した発明によれば、表示部の如何なる位置を押圧しても、いずれかの機能キーが選択され、かつ、最も使用している機能キーが選択されることとなるため、操作をスムーズに進めることができる効果がある。
【０００８】
請求項２に記載した発明によれば、一連の設定作業で選択される可能性が低い機能キーは選択されることが無くなるため、効率よく作業を進めることができる効果がある。
【発明を実施するための最良の形態】
【０００９】
次に、本発明の実施形態を図１〜図６に基づいて説明する。
本実施形態では、タッチパネル式の操作表示装置が複写機に搭載された場合について説明する。
図１に示すように、複写機１は、図示しない画像記憶部、画像処理部、印刷部及び制御部などを備えた複写機本体３が下部に形成されている。複写機本体３の上部手前側に複写機１の各種操作を実行するための操作部５と、透明電極からなるタッチパネル７が表面に配置された表示部９とを備えた操作表示装置１１が構成され、複写機本体３の上部で操作表示装置１１以外の部分には、原稿画像を自動的に給紙するための自動原稿送り装置（ＡＤＦ）１３と、原稿画像を読み取るためのスキャナ部１５とを備えた画像読取部１７が構成されている。
【００１０】
図２に示すように、操作表示装置１１は、操作部５と表示部９とから構成されている。操作部５は、使用者による各種の操作指示を受け付け、当該操作指示内容を制御部３５に出力する複数のボタン１９で構成されたものである。ボタン１９は、複写作業などを起動するスタートキー１９ａ、複写枚数などを設定するテンキー１９ｂ、初期設定画面を起動などするファンクションキー１９ｃなどから構成されている。
【００１１】
次に、図３に示すように、表示部９はカラー又はモノクロ液晶ディスプレイ（ＬＣＤ）で構成されており、制御部３５から入力された表示指示に基づいて各種画像、文字、図形などで各種情報を表示される。また、使用者が表示部９に表示された複数の機能キー２１〜２６に触れることによってタッチパネル７が機能し、入力された操作指示が制御部３５に出力される。ここで、表示部９には、複写する原稿のトナー濃度を設定する濃度機能キー２１、複写する原稿の縮尺倍率を設定する倍率機能キー２２、排出される複写原稿の用紙サイズを設定するトレイ選択機能キー２３、複数枚複写する際のソータ種類を設定するソート機能キー２４、原稿或いは排出原稿が両面の場合の各種設定を行う両面機能キー２５、その他機能キー２６などが表示されている。
また、複数の機能キー２１〜２６が表示されている領域以外は、無機能領域２７として構成されている。
【００１２】
図４に示すように、複写機１は、主に操作部５、表示部９、画像読取部１７、画像記憶部２９、画像処理部３１、印刷部３３及び制御部３５から構成されている。操作部５及び表示部９は、上述の通り、制御部３５と通信可能に接続されており、複数の機能の各種操作に対する送受信が行われるように構成されている。
画像読取部１７は、自動原稿送り装置（ＡＤＦ）１３とスキャナ部１５とを備えている。このような画像読取部１７は、制御部３５による制御の下に、自動原稿送り装置１３から供給された原稿がガラス面上に送られ、複合機本体３に内蔵されたスキャナ部１５にて原稿の画像を順次読み取り、原稿画像の色彩を示すカラー画像データを画像記憶部２９に出力する。
【００１３】
画像記憶部２９は、ハードディスクなどの外部記憶装置或いは／及び半導体メモリから構成されており、画像読取部１７から入力された原稿画像のカラー画像データを記憶する。この画像記憶部２９は、制御部３５による制御の下に、読み取られた原稿画像のカラー画像データの書き込みを行うと共に、当該カラー画像データを読み出して画像処理部３１に出力する。
【００１４】
画像処理部３１は、制御部３５による制御の下に、画像記憶部２９から入力されたカラー画像データを印刷用のデータに画像変換して印刷部３３に出力する。
【００１５】
印刷部３３は、制御部３５による制御の下に、印刷紙を搬送しつつ当該印刷紙にトナーを付着させることにより、上記カラー画像データに基づいて原稿画像を印刷紙上に出力する印刷手段である。
【００１６】
制御部３５は、操作部５或いは表示部９のタッチパネル７から入力される操作指示、内部メモリに記憶された制御プログラム及び各種制御用データなどに基づいて、複写機１の全体動作を制御するものである。即ち、制御部３５は、上記操作指示、制御プログラム及び各種制御用データなどに基づいて制御演算を行うＣＰＵ（Central Processing Unit）及び他の各部（つまり操作部５、表示部９、画像読取部１７、画像記憶部２９、画像処理部３１、及び印刷部３３）とのデータ授受を行う各種入出力インタフェース回線などから構成されており、上記他の各部を統括的に制御することによって、画像読取部１７が読み取った原稿画像を印刷部３３より印刷することができるようになっている。
【００１７】
更に、制御部３５には、押圧箇所Ａから各機能キー２１〜２６までの距離を計測する計測手段と、計測手段により計測された押圧箇所Ａから各機能キー２１〜２６までの距離を比較して最短距離にある機能キーを選択する第一選択手段と、各機能キー２１〜２６のある特定期間における使用頻度をカウントする計量手段と、第一選択手段により選択された機能キーが複数存在する場合に、該当する機能キーのうち、計量手段に基づいて最も使用頻度の高い機能キーを選択する第二選択手段と、一連の作業で既に一度設定が完了している機能キーを選択の対象から除外する除外手段とが備えられている
【００１８】
次に、作用について説明する。
複写機１は、電源がＯＮされており、スタンバイ状態である。この状態で複写をする場合は、複写をする原稿を自動原稿送り装置１３にセットし、表示部９のタッチパネル７や操作部５のテンキー１９ｂなどで用紙サイズ、複写枚数、濃度、倍率などを設定し、スタートボタン１９ａを押すことで複写が開始される。
複写が開始されると、原稿は自動原稿送り装置１３からスキャナ部１５へと搬送され、スキャナ部１５において原稿が読み取られる。読み取られた原稿の画像データは複写機本体３の内部に設けられた画像記憶部２９から画像処理部３１へと送られた後、印刷部３３へデータが送られ、複写機本体３に内蔵されたトナーにより印刷紙へ印字され、印刷物として排出される。
【００１９】
ここで、タッチパネル７で用紙サイズ、濃度、倍率などを設定する際の手順について二つの事例を説明する。また、以下の説明では各種操作毎に分かりやすく説明するために、それぞれの処理を別々のステップとして記載した。したがって、同じ処理内容でも重複して表現されている箇所がある。
まず、第一の事例の説明をする。
図５に示すように、ステップ１１（Ｓ１１）では、複写機１はスタンバイ状態で目的の機能キーを受け付ける。タッチパネルのいずれかの箇所が押されたら、ステップ１２（Ｓ１２）へと進む。ステップ１２では、押した箇所が機能キーの領域内か否かを判定し、領域内であればステップ２１（Ｓ２１）へ進み、領域内でなければ、つまり無機能領域２７を押した場合にはステップ１３（Ｓ１３）へ進む。ステップ２１では、押された機能キーの詳細設定画面を表示し、ステップ２２（Ｓ２２）では、画面の指示にしたがって設定を行う。設定が完了すると、処理を終了する。
【００２０】
ステップ１３では、タッチパネル７を押した押圧箇所Ａから各機能キーの距離を計測し（計測手段）、その中で最短距離にある機能キーがどの機能キーになるかを判定し（第一選択手段）、ステップ１４（Ｓ１４）へと進む。ここで、判定対象となる距離は、押圧箇所Ａと各機能キーの領域の中心点との距離をいう。ステップ１４では、ステップ１３で最短距離にあると判定された機能キーがいくつあるかを判定し、一つしかない場合はステップ３１（Ｓ３１）へ進み、複数の機能キーが同じ最短距離にある場合はステップ１５（Ｓ１５）へ進む。
【００２１】
ステップ３１では、押圧箇所Ａから最短距離にある機能キーの詳細設定画面を表示して、ステップ３２（Ｓ３２）へ進む。ステップ３２では、表示された詳細設定画面が実際に設定したかった機能の画面か否かを判断し、希望するものとは異なる画面が表示された場合には、タッチパネル７上又は操作部５のキャンセルボタンを押すことで、ステップ１１へ戻り、初めから操作をやり直す。実際に設定したかった機能の画面が表示された場合は、ステップ３３（Ｓ３３）へ進む。ステップ３３では、画面の指示にしたがって設定を行う。設定が完了すると、処理を終了する。
【００２２】
ステップ１５では、複数の機能キーが同じ最短距離に存在する場合に、その複数の機能キーのそれぞれの使用頻度を比較する（計量手段）。ここで、使用頻度とは、複写機本体３に内蔵されたＣＰＵにカウンタ機能を持たせ、例えば、使用している複写機１の初期稼動時から、最近１ヶ月間、又は最近１年間など適当な期間を設定し、その間の各機能キー２１〜２６が選択された回数でのことをいう。ステップ１６では、該当する複数の機能キーの内の最も使用頻度の高い機能キーの詳細設定画面を表示して（第二選択手段）、ステップ１７（Ｓ１７）へ進む。
【００２３】
ステップ１７では、表示された詳細設定画面が実際に設定したかった機能の画面か否かを判断し、希望するものとは異なる画面が表示された場合には、タッチパネル７上又は操作部５のキャンセルボタンを押すことで、ステップ１１へ戻り、初めから操作をやり直す。実際に設定したかった機能の画面が表示された場合は、ステップ１８（Ｓ１８）へ進む。ステップ１８では、画面の指示にしたがって設定を行う。設定が完了すると、処理を終了する。
【００２４】
次に、第二の事例の説明をする。
図６に示すように、ステップ１１（Ｓ１１）からステップ１４（Ｓ１４）、ステップ２１（Ｓ２１）からステップ２２（Ｓ２２）、及びステップ３１（Ｓ３１）からステップ３３（Ｓ３３）までは、第一の事例と同様のため説明は省略する。ステップ１４で、タッチパネル７を押した押圧箇所Ａから最短距離にある機能キーが複数ある場合は、ステップ１０１（Ｓ１０１）へと進む。
【００２５】
ステップ１０１では、最短距離にある複数の機能キーの内、一連の操作の中で既に一度設定が完了した機能の有無を判定し、設定済みの機能キーが無い場合はステップ１１１（Ｓ１１１）へ進み、設定済みの機能キーが有る場合はステップ１０２（Ｓ１０２）へ進む。
【００２６】
ステップ１１１では、複数の機能キーのそれぞれの使用頻度を比較する。ステップ１１２（Ｓ１１２）では、該当する複数の機能キーの内の最も使用頻度の高い機能キーの詳細設定画面を表示して（第二選択手段）、ステップ１１３（Ｓ１１３）へ進む。ステップ１１３では、表示された詳細設定画面が実際に設定したかった機能の画面か否かを判断し、希望するものとは異なる画面が表示された場合には、タッチパネル７上又は操作部５のキャンセルボタンを押すことで、ステップ１１へ戻り、初めから操作をやり直す。実際に設定したかった機能の画面が表示された場合は、ステップ１１４（Ｓ１１４）へ進む。ステップ１１４では、画面の指示にしたがって設定を行う。設定が完了すると、処理を終了する。
【００２７】
ステップ１０２では、設定済みの機能キーを除き（除外手段）、除外した残りの最短距離にある機能キーの数を判定し、残りの機能キーが一つのみ場合はステップ１２１（Ｓ１２１）へ進み、残りの機能キーが複数の場合、又は全ての機能キーが設定済みの場合はステップ１０３（Ｓ１０３）へ進む。
【００２８】
ステップ１２１では、最短距離にある残り一つの機能キーの詳細設定画面を表示して、ステップ１２２（Ｓ１２２）へ進む。ステップ１２２では、表示された詳細設定画面が実際に設定したかった機能の画面か否かを判断し、希望するものとは異なる画面が表示された場合には、タッチパネル７上又は操作部５のキャンセルボタンを押すことで、ステップ１１へ戻り、初めから操作をやり直す。実際に設定したかった機能の画面が表示された場合は、ステップ１２３（Ｓ１２３）へ進む。ステップ１２３では、画面の指示にしたがって設定を行う。設定が完了すると、処理を終了する。
【００２９】
ステップ１０３では、最短距離にある残りの複数の機能キーのそれぞれの使用頻度を比較する（計量手段）。ステップ１０４（Ｓ１０４）では、該当する複数の機能キーの内の最も使用頻度の高い機能キーの詳細設定画面を表示して（第二選択手段）、ステップ１０５（Ｓ１０５）へ進む。ステップ１０５では、表示された詳細設定画面が実際に設定したかった機能の画面か否かを判断し、希望するものとは異なる画面が表示された場合には、タッチパネル７上又は操作部５のキャンセルボタンを押すことで、ステップ１１へ戻り、初めから操作をやり直す。実際に設定したかった機能の画面が表示された場合は、ステップ１０６（Ｓ１０６）へ進む。ステップ１０６では、画面の指示にしたがって設定を行う。設定が完了すると、処理を終了する。
【００３０】
したがって、本実施形態によれば、表示部の機能キー以外の無機能領域を押圧した場合には、最短距離にある機能キーが選択され、最短距離に複数の機能キーが存在する場合には、その中で最も使用頻度の高い機能キーを選択されるようにしたため、表示部の如何なる位置を押圧しても、いずれかの機能キーが選択され、操作をスムーズに進めることができる。ここで、使用頻度はある特定期間のカウンタ値で判断しているが、使用者により使用される回数の多い機能キーは特徴付けられるため、カウンタ値は有効な判定項目である。
また、最短距離に複数の機能キーが存在する場合に、一連の設定作業の中で既に一度設定した機能キーは選択の対象から除外するようにしたため、選択される可能性が低い機能キーは選択されることが無くなり、効率よく作業を進めることができる。
【００３１】
尚、本発明は上述した実施の形態に限られるものではなく、例えば以下のような態様も採用可能である。
本実施形態では、全ての機能キーを対象に使用頻度を比較する説明をしたが、ある特定の機能は使用頻度を比較するまでもなく、選択される対象から除外するように設定できるようにしても良い。
本実施形態では、使用頻度は単純に選択された回数を累積してカウントしているが、設定が完了し、機能を実行した場合のみカウントするようにしても良い。
本実施形態では、押圧箇所と各機能キーの領域の中心点との距離を判定の対象としたが、押圧箇所と各機能キーの領域の端部からの距離を判定の対象としても良い。
【図面の簡単な説明】
【００３２】
【図１】本発明の実施形態における複写機の斜視図である。
【図２】本発明の実施形態における操作表示装置の斜視図である。
【図３】本発明の実施形態における表示部の平面図である。
【図４】本発明の実施形態における複写機のブロック図である。
【図５】本発明の実施形態における第一の事例のフローチャートである。
【図６】本発明の実施形態における第二の事例のフローチャートである。
【符号の説明】
【００３３】
７…タッチパネル  ９…表示部  １１…操作表示装置（タッチパネル式の操作表示装置）  ２１…濃度機能キー（機能キー）  ２２…倍率機能キー（機能キー）  ２３…トレイ選択機能キー（機能キー）  ２４…ソート機能キー（機能キー）  ２５…画面機能キー（機能キー）  ２６…その他機能キー（機能キー）  ２７…無機能領域  Ａ…押圧箇所
【図１】
2008009612.tif 000003
【図２】
2008009612.tif 000004
【図３】
2008009612.tif 000005
【図４】
2008009612.tif 000006
【図５】
2008009612.tif 000007
【図６】
2008009612.tif 000008